(57)【要約】【課題】集合板のネジ緩みを低減でき、集合板の取り付け安定性を向上できる遊技機を提供する。【解決手段】集合板４１０は、その裏面側の所定箇所に、集合板４１０を遊技盤３０に固定するネジ４８１の挿入される貫通孔４１３の形成された窪み部４８３が形成され、窪み部４８３の貫通孔４１３に挿入されたネジ４８１によって集合板４１０を遊技盤３０にネジ止めした状態で、窪み部４８３を塞ぐようにして取り付け固定されたネジ封止キャップ４９０は、その内天面の突起部がネジ頭４８１ａに当接しているので、搬送時の振動などによってネジ４８１の緩みが生じようとしても、ネジ頭４８１ａのネジ封止キャップ４９０への当接によってネジ４８１の緩みを防止できる。よって、ネジ４８１の緩みに起因する集合板４１０での球詰まりや遊技部品の取り付け不安定という問題を低減できる。【選択図】図２１
2014208241.tif 000002
【特許請求の範囲】
【請求項１】
遊技球が打ち込まれる遊技領域が形成される遊技盤と、
その遊技盤の裏面側へ導かれた遊技球を誘導する通路が形成された集合板を備え、
その集合板を前記遊技盤の裏面に固着させる部材であって頭部に操作用の溝を有するネジと、
そのネジの緩み方向への回動を規制する規制部と
を備えていることを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、遊技盤の裏面側には集合板が取り付けられている。この集合板は、遊技盤の裏面側に誘導されてきた遊技球を排出する排出通路が形成されており、遊技に関する部品（例えば基板ユニットなど）が取り付けられるものである。この基板ユニットは、遊技を制御する制御基板と、この制御基板を収容する透明な基板ケースとを備えている（例えば、特許文献１参照）。
【先行技術文献】
【特許文献】
【０００４】
【特許文献１】特開２００５−２１１５９１号公報（第２３頁，第１１図）
【発明の開示】
【発明が解決しようとする課題】
【０００５】
しかしながら、このような構成を有する従来例の場合には、次のような問題がある。
すなわち、従来のパチンコ機では、遊技盤の裏面側に集合板がネジ止め固定されており、この集合板に各種の遊技部品（例えば、基板ユニットなど）が取り付けられてそれらの遊技部品の重みがかかっており、例えば工場から営業店（パチンコ店）への遊技機の搬送時の振動や衝撃などが加わることで、集合板を止めているネジの緩みが生じるおそれがある。仮に、ネジの緩みが生じている場合には、集合板による遊技球の排出がされず途中で球詰まりしたり、遊技部品の取り付けが安定せず遊技に支障をきたしたりするという問題が考えられる。
【０００６】
本発明は、このような事情に鑑みてなされたものであって、集合板のネジ緩みを低減でき、集合板の取り付け安定性を向上できる遊技機を提供することを目的とする。
【課題を解決するための手段】
【０００７】
この発明は、このような目的を達成するために、次のような構成をとる。
すなわち、請求項１に記載の発明は、
遊技球が打ち込まれる遊技領域が形成される遊技盤と、
その遊技盤の裏面側へ導かれた遊技球を誘導する通路が形成された集合板を備え、
その集合板を前記遊技盤の裏面に固着させる部材であって頭部に操作用の溝を有するネジと、
そのネジの緩み方向への回動を規制する規制部と
を備えていることを特徴とするものである。
【発明の効果】
【０００８】
この発明に係る遊技機によれば、集合板のネジ緩みを低減でき、集合板の取り付け安定性を向上できる遊技機を提供することができる。
【図面の簡単な説明】
【０００９】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例１での主制御装置を遊技盤の裏面側の取付台に取り付ける様子を示す図である。
【図７】遊技盤の裏面側に取り付けられた集合板および取付台を示す斜視図である。
【図８】取付台の片開き状態を示す斜視図である。
【図９】取付台を集合板に取り付ける様子を示す図である。
【図１０】取付台の軸部を集合板の軸受け部に挿入する様子を示す部分拡大図である。
【図１１】集合板および取付台の斜視図である。
【図１２】取付台を集合板に取り付けて閉状態としたときの要部箇所を示す一部破断斜視図である。
【図１３】集合板の要部箇所を示す一部破断斜視図である。
【図１４】（ａ）〜（ｈ）は、順に、図１０に示したＡ−Ａ線断面斜視図、その断面図、図１０に示したＢ−Ｂ線断面斜視図、その断面図、図１０に示したＣ−Ｃ線断面斜視図、その断面図、図１０に示したＤ−Ｄ線断面斜視図、その断面図である。
【図１５】取付台を集合板に取り付ける様子を側面視した一部破断側面図である。
【図１６】取付台を集合板に取り付けた状態を側面視した一部破断側面図である。
【図１７】図７に示したＥ−Ｅ線断面図である。
【図１８】第１軸受け部の掛止部を第１軸部挿入方向視した図である。
【図１９】遊技盤の裏面側の集合板のネジ封止キャップの箇所を下方左側から裏面視した部分斜視図である。
【図２０】遊技盤の裏面側の集合板のネジ封止キャップの箇所を示す部分裏面図である。
【図２１】遊技盤および集合板の裏面左下箇所を下方左側から見た部分分解斜視図である。
【図２２】遊技盤および集合板の正面右下箇所を下方右側から見た部分分解斜視図である。
【図２３】遊技盤および集合板のネジ封止キャップの箇所を後方から見た要部分解斜視図である。
【図２４】遊技盤および集合板のネジ封止キャップの箇所を前方から見た要部分解斜視図である。
【図２５】遊技盤および集合板の窪み部の箇所の断面図である。
【図２６】実施例２での遊技盤および集合板の窪み部の箇所の断面図である。
【図２７】（ａ）は実施例３での集合板の窪み部の箇所の正面図であり、（ｂ）は実施例３での遊技盤および集合板の窪み部の箇所の断面図である。
【図２８】実施例３での遊技盤および集合板のネジ封止キャップの箇所を後方から見た要部分解斜視図である。
【図２９】実施例３での遊技盤および集合板のネジ封止キャップの箇所を前方から見た要部分解斜視図である。
【図３０】（ａ），（ｂ）は実施例とは異なる別の実施例の遊技盤および集合板の要部箇所を示す概略側面図である。
【発明を実施するための形態】
【００１０】
本明細書は、次のような遊技機に係る発明も開示している。
（０）  遊技球が打ち込まれる遊技領域が形成される遊技盤を備えた遊技機において、
前記遊技盤の裏面側の所定箇所に固定される、遊技球の通路が形成された集合板を備え、
前記集合板は、その前記遊技盤と対向する面とは反対の面での所定箇所に窪み部が形成され、
前記窪み部は、前記集合板を前記遊技盤に固定するためのネジの挿入される貫通孔が形成され、
前記窪み部の前記貫通孔に挿入されたネジによって前記集合板を前記遊技盤にネジ止めした状態で、当該窪み部を塞ぐようにしてこの窪み部に取り付け固定された蓋部材を備え、
前記蓋部材は、その内天面が前記ネジ頭に当接または近接していることにより、前記ネジの抜け方向への移動を規制する
ことを特徴とする遊技機。
【００１１】
前記（０）に記載の発明によれば、遊技機は、遊技球が打ち込まれる遊技領域が形成される遊技盤を備えている。遊技盤は、その裏面側の所定箇所に集合板が固定される。集合板は、その遊技盤と対向する面とは反対の面での所定箇所に窪み部が形成されている。窪み部は、集合板を遊技盤に固定するためのネジの挿入される貫通孔が形成されている。窪み部の貫通孔に挿入されたネジによって集合板を遊技盤にネジ止めした状態で、当該窪み部を塞ぐようにしてこの窪み部に蓋部材が取り付け固定されている。蓋部材は、その内天面がネジ頭に当接または近接していることにより、ネジの抜け方向への移動を規制する。
【００１２】
したがって、例えば工場から営業店（パチンコ店）への遊技機の搬送時の振動や衝撃などが加わることで、集合板を止めているネジの緩みが生じようとしても、蓋部材の内天面がネジ頭に当接している場合には、そのネジ頭の蓋部材への当接によってネジの抜け方向への移動が規制され、ネジの緩みを防止できる。また、蓋部材の内天面がネジ頭に近接している場合には、前述した搬送時の振動や衝撃などが加わることで、集合板を止めているネジの緩みが生じたとしても、その緩んだネジのネジ頭が蓋部材の内天面に当接し、ネジの抜け方向への移動が規制され、それ以上のネジの緩みを防止できる。よって、ネジの緩みに起因する集合板での球詰まりや遊技部品の取り付け不安定という問題を低減できる。
【００１３】
その結果、集合板のネジ緩みを低減でき、集合板の取り付け安定性を向上できる遊技機を提供することができる。
また、集合板を遊技盤に固定するためのネジが窪み部の貫通孔に挿入されて集合板が遊技盤にネジ止めされた状態で、その窪み部が蓋部材で塞がれているので、ネジに触れることができず、不正にネジを緩めて集合板を遊技盤から不正に取り外すなどの不正行為を低減できる。
【００１４】
（１）  前記（０）に記載の遊技機において、
前記蓋部材は、その内天面から前記ネジ頭までの距離が当該ネジのネジ部の長さよりも小さい範囲で近接しているか、または、その内天面に前記ネジ頭が当接している
ことを特徴とする遊技機。
【００１５】
前記（１）に記載の発明によれば、蓋部材は、その内天面からネジ頭までの距離が当該ネジのネジ部の長さよりも小さい範囲で近接しているか、または、その内天面にネジ頭が当接している。したがって、蓋部材の内天面がネジ部に当接している場合には、前述した搬送時の振動や衝撃などが加わることで、集合板を止めているネジの緩みが生じようとしても、そのネジ頭が蓋部材の内天面に当接しており、ネジの緩みを防止でき、ネジが外れてしまうことがない。また、蓋部材の内天面がネジ部に近接している場合には、前述した搬送時の振動や衝撃などが加わることで、集合板を止めているネジの緩みが生じたとしても、その緩んだネジのネジ頭が蓋部材の内天面に当接し、それ以上のネジの緩みを防止でき、ネジが外れてしまうことがない。
【００１６】
（２）  前記（０）に記載の遊技機において、
前記蓋部材は、その内天面に突起部が形成され、前記突起部から前記ネジ頭までの距離が当該ネジのネジ部の長さよりも小さい範囲で近接しているか、または、前記突起部に前記ネジ頭が当接している
ことを特徴とする遊技機。
【００１７】
前記（２）に記載の発明によれば、蓋部材は、その内天面に突起部が形成され、この突起部からネジ頭までの距離が当該ネジのネジ部の長さよりも小さい範囲で近接しているか、または、突起部にネジ頭が当接している。したがって、蓋部材の突起部がネジ部に当接している場合には、前述した搬送時の振動や衝撃などが加わることで、集合板を止めているネジの緩みが生じようとしても、そのネジ頭が蓋部材の突起部に当接しており、ネジの緩みを防止でき、ネジが外れてしまうことがない。また、蓋部材の突起部がネジ部に近接している場合には、前述した搬送時の振動や衝撃などが加わることで、集合板を止めているネジの緩みが生じたとしても、その緩んだネジのネジ頭が蓋部材の突起部に当接し、それ以上のネジの緩みを防止でき、ネジが外れてしまうことがない。
【００１８】
（３）  前記（０）から（２）のいずれか一つに記載の遊技機において、
前記ネジは、そのネジ頭に、ねじ回しの先端が差し込まれる穴が形成されており、
前記蓋部材は、その内天面または前記突起部に、前記ネジ頭の前記穴に挿入される挿入突起部が形成されている
ことを特徴とする遊技機。
【００１９】
前記（３）に記載の発明によれば、ネジは、そのネジ頭に、ねじ回し（十字ねじ回し「プラスドライバ」やねじ回し「マイナスドライバ」等）の先端が差し込まれる穴（例えば、十字穴やすりわり等）が形成されている。蓋部材は、その内天面または突起部に、ネジ頭の穴に挿入される挿入突起部が形成されている。したがって、蓋部材の挿入突起部がネジ頭の穴に入り込むことでネジが緩む方向に回転することを防止できる。
【００２０】
（４）  前記（０）から（２）のいずれか一つに記載の遊技機において、
前記蓋部材は、前記内天面の所定箇所または前記突起部の突起先端箇所に、前記ネジ頭に当接される弾性部材を備えている
ことを特徴とする遊技機。
【００２１】
前記（４）に記載の発明によれば、蓋部材は、内天面の所定箇所または突起部の突起先端箇所に、ネジ頭に当接される弾性部材を備えているので、窪み部内のネジのネジ止めにばらつきがあった場合、つまり、窪み部内でのネジのその窪み部開口に向けてのネジ頭突出量にばらつきがあった場合でも、そのばらつきを弾性部材で吸収することができ、蓋部材をネジ頭に当接させることができ、ネジ頭突出に起因する蓋部材の取り付け不良を低減できる。
【００２２】
（５）  前記（０）から（４）のいずれか一つに記載の遊技機において、
前記蓋部材は、前記窪み部と対向する面での所定の外縁箇所に、前記窪み部に向けて突出した外縁突出壁を備えている
ことを特徴とする遊技機。
【００２３】
前記（５）に記載の発明によれば、蓋部材は、窪み部と対向する面での所定の外縁箇所に、窪み部に向けて突出した外縁突出壁を備えているので、窪み部と蓋部材との間の隙間に不正に細状部材などを差し入れてネジに近づけることを低減できる。また、蓋部材を集合板の窪み部に取り付けた状態において、蓋部材と窪み部との当接あるいは近接する面積を大きくとることができ、不正具（細状部材など）を挿入し難くでき、その取り付け状態を解除し辛くできる。また、この外縁突出壁を、次に述べる（６）での係合爪よりも大きく突出させた場合には、蓋部材を無理矢理押し込んで係合爪を折ることができず、係合爪を保護することができる。
【００２４】
（６）  前記（０）から（５）のいずれか一つに記載の遊技機において、
前記窪み部は、その窪み内周面または窪み奥面の所定箇所に係合穴を備え、
前記蓋部材は、前記係合穴に係合する係合爪を備えている
ことを特徴とする遊技機。
【００２５】
前記（６）に記載の発明によれば、窪み部は、その窪み内周面または窪み奥面の所定箇所に係合穴を備えている。蓋部材は、係合穴に係合する係合爪を備えている。したがって、蓋部材の係合爪が集合板の窪み部での窪み内周面または窪み奥面の係合穴に係合するので、蓋部材と集合板との係合箇所、つまり蓋部材の係合爪と集合板の窪み部との係合箇所を隠れた位置（窪み部内）に設定でき、蓋部材が窪み部に一旦取り付けられると、その蓋部材が取り外されないようにできる。
【００２６】
（７）  前記（６）に記載の遊技機において、
前記窪み部は、前記係合穴の両側部にリブを備えている
ことを特徴とする遊技機。
【００２７】
前記（７）に記載の発明によれば、窪み部は、係合穴の両側部にリブを備えているので、窪み部の係合箇所（係合穴の周囲箇所）を補強でき、不正具（細状部材など）により不正に隙間が形成されることを防止できる。また、このリブを、蓋部材の係合爪を係合穴に案内するリブとした場合には、蓋部材の係合爪を窪み部の係合穴に容易に係合させることができる。
【００２８】
（８）  前記（０）から（７）のいずれか一つに記載の遊技機において、
所定の電気部品を、前記遊技盤と前記集合板との間に備えている
ことを特徴とする遊技機。
【００２９】
前記（８）に記載の発明によれば、所定の電気部品を、遊技盤と集合板との間に備えている。この電気部品としては、例えば、入賞口スイッチ、状態報知部品（エラー報知用ＬＥＤ基板、特図ＬＥＤ基板など）などが挙げられる。したがって、不正行為者は、遊技盤と集合板との間の電気部品に対して不正行為を行うために、集合板を遊技盤から取り外して電気部品にアクセスしたいのであるが、集合板を遊技盤に固定するためのネジが窪み部の貫通孔に挿入されて集合板が遊技盤にネジ止めされた状態で、その窪み部が蓋部材で塞がれているので、ネジに触れることができず、不正にネジを緩めて集合板を遊技盤から不正に取り外すことが困難であり、電気部品にアクセスできず、不正行為を低減できる。
【００３０】
（９）  前記（８）に記載の遊技機において、
前記電気部品は、所定の遊技を制御する制御基板を収容する基板収容ユニットである
ことを特徴とする遊技機。
【００３１】
前記（９）に記載の発明によれば、基板収容ユニットは、所定の遊技を制御する制御基板を収容するものであり、遊技盤と集合板との間に備えられている。したがって、不正行為者は、遊技盤と集合板との間の基板収容ユニットの制御基板に対して不正行為を行うために、集合板を遊技盤から取り外して基板収容ユニットにアクセスしたいのであるが、集合板を遊技盤に固定するためのネジが窪み部の貫通孔に挿入されて集合板が遊技盤にネジ止めされた状態で、その窪み部が蓋部材で塞がれているので、ネジに触れることができず、不正にネジを緩めて集合板を遊技盤から不正に取り外すことが困難であり、基板収容ユニットにアクセスできず、不正行為を低減できる。
【００３２】
（１０）  前記（０）から（７）のいずれか一つに記載の遊技機において、
前記集合板は、所定の遊技を制御する制御基板を収容する基板収容部が一体的に形成されており、前記基板収容部を封印する封印手段を備え、
前記封印手段は、その所定箇所が破壊されることで、当該封印が解除されるものである
ことを特徴とする遊技機。
【００３３】
前記（１０）に記載の発明によれば、集合板は、所定の遊技を制御する制御基板を収容する基板収容部が一体的に形成されており、基板収容部を封印する封印手段を備えている。封印手段は、その所定箇所が破壊されることで、当該封印が解除されるものである。したがって、不正行為者は、制御基板に対して不正行為を行うために、基板収容部から制御基板を取り出したいのであるが、封印手段によって基板収容部が封印されており、制御基板を取り出すことが困難となっているし、封印破壊すればその破壊痕跡を見つけることで不正行為を発見できる。そこで次に、不正行為者は、集合板ごと取り外して集合板ごと不正品に交換したいのであるが、集合板を遊技盤に固定するためのネジが窪み部の貫通孔に挿入されて集合板が遊技盤にネジ止めされた状態で、その窪み部が蓋部材で塞がれているので、ネジに触れることができず、不正にネジを緩めて集合板を遊技盤から不正に取り外すことが困難となっている。その結果、制御基板や集合板を不正に取り外すことができず、不正行為を低減できる。
【００３４】
（１１）  前記（０）から（７）のいずれか一つに記載の遊技機において、
前記集合板は、所定の遊技を制御する制御基板と、前記制御基板を収容する基板ケースとを備えた基板収容ユニットが取り付け固定されており、
前記基板収容ユニットは、前記基板ケースを封印する封印手段を備え、
前記封印手段は、その所定箇所が破壊されることで、当該封印が解除されるものである
ことを特徴とする遊技機。
【００３５】
前記（１１）に記載の発明によれば、集合板は、所定の遊技を制御する制御基板とこの制御基板を収容する基板ケースとを備えた基板収容ユニットが取り付け固定されている。また、基板収容ユニットは、基板ケースを封印する封印手段を備えている。この封印手段は、その所定箇所が破壊されることで、当該封印が解除されるものである。したがって、不正行為者は、基板収容ユニットの制御基板に対して不正行為を行うために、基板ケースから制御基板を取り出したいのであるが、封印手段によって基板ケースが封印されており、制御基板を取り出すことが困難となっているし、封印破壊すればその破壊痕跡を見つけることで不正行為を発見できる。そこで次に、不正行為者は、集合板から基板収容ユニットを取り外して基板収容ユニットごと不正品に交換したいのであるが、この基板収容ユニットは集合板に固定されているので破壊しない限り取り外すことができないし、破壊すれば基板収容ユニットを取り付けることができないし、その破壊痕跡を見つけることで不正行為を発見できる。さらに次に、不正行為者は、集合板ごと取り外して集合板ごと不正品に交換したいのであるが、集合板を遊技盤に固定するためのネジが窪み部の貫通孔に挿入されて集合板が遊技盤にネジ止めされた状態で、その窪み部が蓋部材で塞がれているので、ネジに触れることができず、不正にネジを緩めて集合板を遊技盤から不正に取り外すことが困難となっている。その結果、制御基板や基板収容ユニットや集合板を不正に取り外すことができず、不正行為を低減できる。
【００３６】
（１２）  前記（１１）に記載の遊技機において、
前記基板収容ユニットは、その所定箇所に、開閉軸を構成するための棒状の軸部を備え、
前記軸部は、その軸周りで少なくとも一部に突出した突出部を有する、その軸心に向けて弾性変形可能な係止爪を備え、
前記集合板は、その所定箇所に、前記軸部が挿入される軸入口を有する有底形状の軸受け部を備え、
前記軸受け部は、その内部に、挿入された前記軸部を抜こうとすると当該軸部の前記係止爪が引っ掛かる掛止部を備え、
前記軸部が前記軸受け部に挿入された状態で前記基板収容ユニットが前記集合板に対して片開き自在となっている
ことを特徴とする遊技機。
【００３７】
前記（１２）に記載の発明によれば、基板収容ユニットの所定箇所に備えられた、開閉軸を構成するための棒状の軸部は、その軸周りで少なくとも一部に突出した突出部を有する、その軸心に向けて弾性変形可能な係止爪を備えている。集合板は、その所定箇所に、軸部が挿入される軸入口を有する有底形状の軸受け部を備えている。軸受け部は、その内部に、挿入された軸部を抜こうとすると当該軸部の係止爪が引っ掛かる掛止部を備えている。軸部が軸受け部に挿入された状態で、基板収容ユニットが集合板に対して片開き自在となっている。
【００３８】
したがって、基板収容ユニットは、その軸部を、遊技盤の裏面側での集合板の軸受け部に挿入することで、集合板に対して片開き状態とすることができるのみならず、このように基板収容ユニットを集合板に一旦取り付けると、基板収容ユニットを集合板から取り外すことができない。つまり、挿入された軸部を軸受け部から抜こうとしても、軸部の係止爪が軸受け部の内部の掛止部に引っ掛かり、挿入された軸部が軸受け部から抜けないようになっており、基板収容ユニットを遊技盤の裏面の固定部材から取り外せないようにでき、不正行為を低減できる。また、軸受け部は有底形状としているので、外部底側からその内部への不正工具の進入も排除でき、この不正工具進入による軸部の係止爪の不正操作も防止できる。
【００３９】
また、仮に、集合板の軸受け部を破壊して基板収容ユニットが取り外せたとしても、その破壊された軸受け部に偽物の基板収容ユニットを挿入して取り付けることができないし、軸受け部の破壊痕跡を視認することで不正行為を発見できる。また、これとは逆に、基板収容ユニットの軸部を破壊して基板収容ユニットが取り外せたとしても、破壊された軸部の一部が軸受け部に残存したままで取り出すことができないし、この軸受け部に偽物の基板収容ユニットを挿入して取り付けることができないし、軸受け部に残存する軸部の一部（破壊痕跡）を視認することで不正行為を発見できる。
【００４０】
さらに、集合板は、遊技盤に固定されているので、集合板の遊技盤への固定を解除することが困難であり、集合板の遊技盤への固定解除をしない限り、基板収容ユニットが付いたままで集合板ごと盗むことができないことから、基板収容ユニットが付いたままで集合板ごと盗むということも解消できる。
【００４１】
その結果、制御基板の盗難・摩り替え等の不正行為についての対策を強化した遊技機を提供することができる。
【００４２】
（１３）  前記（１２）に記載の遊技機において、
前記基板収容ユニットは、さらに、前記基板ケースが固定される取付ベースを備え、
前記取付ベースは、その所定箇所に前記軸部を備えている
ことを特徴とする遊技機。
【００４３】
前記（１３）に記載の発明によれば、基板収容ユニットは、制御基板を収容する基板ケースと、この基板ケースが固定される取付ベースとを備えている。取付ベースは、その所定箇所に前記の軸部を備えている。したがって、基板収容ユニットが基板ケースと取付ベースとからなる構成であっても、制御基板の盗難・摩り替え等の不正行為についての対策を強化できる。
【００４４】
（１４）  前記（１２）または（１３）に記載の遊技機において、
前記基板ケースは、緩める方向に回すと所定箇所が破断するかまたは締め方向に回しきると所定箇所が破断する破断ネジ、または、緩める方向に回せないあるいは回し難いワンウェイネジにより、前記取付ベースに固定されている
ことを特徴とする遊技機。
【００４５】
前記（１４）に記載の発明によれば、基板ケースは、緩める方向に回すと所定箇所（例えば、ネジ頭の付け根箇所）が破断するかまたは締め方向に回しきると所定箇所（例えば、ネジ頭の付け根箇所）が破断する破断ネジ、または、緩める方向に回せないあるいは回し難いワンウェイネジにより、取付ベースに固定されている。したがって、基板ケースを取付ベースから取り外すことを困難とすることができる。
【００４６】
（１５）  前記（１２）に記載の遊技機において、
前記基板収容ユニットは、前記制御基板を収容する基板ケースであり、
前記基板ケースは、その所定箇所に前記軸部を備えている
ことを特徴とする遊技機。
【００４７】
前記（１５）に記載の発明によれば、基板収容ユニットは、制御基板を収容する基板ケースとしており、この基板ケースは、その所定箇所に軸部を備えている。したがって、基板ケースが固定部材に直接に固定されている構成であっても、制御基板の盗難・摩り替え等の不正行為についての対策を強化できる。
【００４８】
（１６）  前記（１２）から（１５）のいずれか一つに記載の遊技機において、
前記係止爪は、前記突出部が、前記軸部の軸周りのうちで当該軸を挟んだ両側箇所に設けられたものであり、
前記軸受け部は、前記集合板の前記遊技盤と対向する側に向けて開口された開口部を備え、前記軸入口および前記開口部を除いた容体形状とするものであり、
前記掛止部は、前記軸部の挿入方向視でかつ前記開口部を上側に位置させた状態において、Ｕ字状の掛り代を備えており、この状態での下側の掛り代の方が左側および右側の掛り代よりも大きくしている
ことを特徴とする遊技機。
【００４９】
前記（１６）に記載の発明によれば、係止爪は、その突出部が、軸部の軸周りのうちで当該軸を挟んだ両側箇所に設けられたものである。軸受け部は、集合板の遊技盤と対向する側に向けて開口された開口部を備え、軸入口および開口部を除いた容体形状とするものである。掛止部は、軸部の挿入方向視でかつ開口部を上側に位置させた状態において、Ｕ字状の掛り代を備えており、この状態での下側の掛り代の方が左側および右側の掛り代よりも大きくしているので、係止爪が掛係部に片掛りとなる状態（片掛り状態）となったときに、基板収容ユニットが集合板から外れ易くなることを低減できる。つまり、基板収容ユニットを集合板に対して閉状態から開状態に変化させる過程のうちで一の状態のときに、係止爪が掛係部に片掛りとなる状態（片掛り状態）となることがあるが、掛止部のＵ字状の掛り代での下側の掛り代の方が左側および右側の掛り代よりも大きくしているので、基板収容ユニットが集合板から外れ易くなることを低減できる。
【００５０】
また、軸受け部は、軸部が挿入される軸入口と、集合板の遊技盤側に向けた開口部とを除いた容体形状としているので、外部から軸受け部の内部にアクセスできず、軸受け部に不正な工具を挿入できないし、軸受け部から軸部を不正に取り外すことをできないようにすることができる。
【００５１】
（１７）  前記（０）から（１６）のいずれか一つに記載の遊技機において、
前記遊技機はパチンコ機であることを特徴とする遊技機。
【００５２】
前記（１７）に記載の遊技機によれば、集合板のネジ緩みを低減でき、集合板の取り付け安定性を向上できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００５３】
以下、パチンコ遊技機（以下、単に「パチンコ機」という）の各種の実施の形態を、図面に基づいて詳細に説明する。
【実施例１】
【００５４】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００５５】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００５６】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００５７】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００５８】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００５９】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００６０】
遊技盤３０（図２参照）は、その遊技領域３０ａを樹脂ベース（図示省略）の開口部に位置させるようにして当該樹脂ベースに着脱自在に取り付けられる。
【００６１】
ここで、もう少し詳細に前面枠セット１４について説明する。
【００６２】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００６３】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３とを備えている。
【００６４】
下皿ユニット１３は、図１に示すように、前面枠セット１４の最下部箇所に位置するように、ネジ等の締結具により固定されている。この下皿ユニット１３は、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００６５】
上皿ユニット２１は、図１に示すように、前面枠セット１４の下部箇所（前述の下皿１５の上方位置）に位置するように、ネジ等の締結具により固定されており、遊技球の受皿としての上皿１９を備えている。ここで、上皿１９は、遊技球を一旦貯留し、一列に整列させながら遊技球発射装置３８の方へ導出するための球受皿である。
【００６６】
ガラス枠部２３は、図１に示すように、上皿ユニット２１の上側に形成された窓部１０１と、この窓部１０１の周囲に設けられた各種の電飾部とを備えている。
【００６７】
つまり、前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００６８】
加えて、前面枠セット１４は、図１に示すように、その前面側で窓部１０１の周囲（例えば、上箇所、左箇所、右箇所など）に各種の電飾部を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部及び右側電飾部がそれぞれに設けられ、窓部１０１の周縁でその上箇所（パチンコ機１０の最上部）には、同じくＬＥＤ等を内蔵した上側電飾部が設けられている。
【００６９】
本パチンコ機１０では、左側電飾部、右側電飾部および上側電飾部は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００７０】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７１】
遊技盤３０は、図２に示すように、正面視で四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００７２】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置３３で構成されている。
【００７３】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００７４】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００７５】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００７６】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００７７】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００７８】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００７９】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００８０】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００８１】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００８２】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００８３】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム（図示省略）が位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００８４】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００８５】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００８６】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００８７】
従って、本実施の形態では、遊技領域３０ａの幅（左右方向の最大幅）は、４１８ｍｍであり、遊技領域３０ａの高さ（上下方向の最大幅）は、４４５ｍｍである。
【００８８】
なお、詳しい図面の開示は省略するが、遊技球発射装置３８には、前面枠セット１４側の球出口（上皿１９の最下流部より通じる球出口）から遊技球が１つずつ供給される。
【００８９】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（そのうちの一つが後述する取付台４００）に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台４００（図６参照）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００９０】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００９１】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００９２】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。なお、上述した作動口スイッチが本発明における入賞検出手段に相当する。
【００９３】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００９４】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００９５】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００９６】
第１制御基板ユニット２０１は、後述する正面視で略矩形状の取付台４００（図６参照）を有し、この取付台４００を遊技盤３０の裏面側から見た状態での手前側に主制御装置２６１が搭載され、この取付台４００の奥側（裏側）にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース２６５と該ボックスベース２６５の開口部を覆うボックスカバー２６７とを備えている。これらボックスベース２６５とボックスカバー２６７とは、後述する図６に示す封印ユニット２６９によって開封不能に連結され、これにより基板ボックス２６３が封印されている。
【００９７】
封印手段としての封印ユニット２６９はボックスベース２６５とボックスカバー２６７とを開封不能に連結する構成であれば任意の構成が適用できるが、本実施例では、例えば５つの封印部材２７１が連結された構成となっており、後述の図６に示すように、この封印部材２７１の長孔２７１ａに封印爪２７３を挿入することでボックスベース２６５とボックスカバー２６７とが開封不能に連結されるようになっている。封印ユニット２６９による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６９（図６参照）を構成する５つの封印部材２７１のうち、少なくとも一つの封印部材２７１の長孔２７１ａに封印爪２７３を挿入することにより封印処理が行われる。そして、収容した主制御基板２６１ａの不具合などにより基板ボックス２６３を開封する場合には、封印爪２７３が挿入された封印部材２７１の所定箇所を切断し（この切断された封印部材２７１は当然にその切断跡、つまり破壊痕跡が残った状態となっている）、封印爪２７３による封印を解除する。その後、再度封印処理する場合は他の封印部材２７１の長孔２７１ａに封印爪２７３を挿入する。基板ボックス２６３の開封を行った旨の履歴を当該基板ボックス２６３に残しておけば、基板ボックス２６３を見ることで不正な開封が行われた旨が容易に発見できる。
【００９８】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００９９】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１００】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【０１０１】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【０１０２】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１０３】
次に、裏パックユニット２０３の構成を説明する。裏パックユニット２０３は、図３に示すように、樹脂成形された裏パック３５１と遊技球の払出機構部３５２とを一体化したものである。
【０１０４】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１０５】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１０６】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１０７】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１０８】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１０９】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１１０】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１１１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１１２】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１１３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１１４】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１５】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１１６】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１１７】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１１８】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１１９】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１２０】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１２１】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１２２】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１２３】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１２４】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１２５】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１２６】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２７】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１２８】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１２９】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１３０】
続いて、本実施例のパチンコ機１０のさらなる特徴部分について図６〜図１８を用いて説明する。
【０１３１】
図６は、主制御装置２６１を遊技盤３０の裏面側の取付台４００に取り付ける様子を示す図である。図７は、遊技盤３０の裏面側に取り付けられた集合板４１０および取付台４００を示す斜視図である。図８は、取付台４００の片開き状態を示す斜視図である。図９は、取付台４００を集合板４１０に取り付ける様子を示す図である。図１０は、取付台４００の軸部を集合板４１０の軸受け部に挿入する様子を示す部分拡大図である。図１１は、集合板４１０および取付台４００の斜視図である。図１２は、取付台４００を集合板４１０に取り付けて閉状態としたときの要部箇所を示す一部破断斜視図である。図１３は、集合板４１０の要部箇所を示す一部破断斜視図である。図１４（ａ）〜（ｈ）は、順に、図１０に示したＡ−Ａ線断面斜視図、その断面図、図１０に示したＢ−Ｂ線断面斜視図、その断面図、図１０に示したＣ−Ｃ線断面斜視図、その断面図、図１０に示したＤ−Ｄ線断面斜視図、その断面図である。図１５は、取付台４００を集合板４１０に取り付ける様子を側面視した一部破断側面図である。図１６は、取付台４００を集合板４１０に取り付けた状態を側面視した一部破断側面図である。図１７は、図７に示したＥ−Ｅ線断面図である。図１８は、第１軸受け部４５０の掛止部４５３を第１軸部４３０の挿入方向視した図である。
【０１３２】
なお、図６に示すように、遊技盤３０は、その所定箇所に、破線で示す開口３０ｂを備えており、遊技盤３０の前面側からこの開口３０ｂを通じて第３図柄表示装置４２の表示画面が見えるようになっているのであるが、図７〜図９での当該開口３０ｂの図示を省略している。
【０１３３】
本実施例のパチンコ機１０は、図２に示すように、遊技球が打ち込まれる遊技領域３０ａを有する遊技盤３０を備えている。また、本実施例のパチンコ機１０は、図３に示すように、遊技盤３０の裏面側に、第１制御基板ユニット２０１や裏パックユニット２０３が設けられているため、パチンコ機１０の裏面側から遊技盤３０の裏面側が直接に見えないようになっている。
【０１３４】
裏パックユニット２０３は、図３に示すように、パチンコ機１０の裏面視で左側での開閉軸Ｊ２を基準に片開き自在となっている。つまり、裏パック３５１と払出機構部３５２とが一体で開閉軸Ｊ２を基準に片開きするようになっている。このように裏パックユニット２０３を、開閉軸Ｊ２（図３参照）を基準に片開き状態とすると、図６に示すように遊技盤３０の裏面側があらわになってくる。なお、図６では、遊技盤３０以外の部品（例えば、外枠１１や内枠１２など）や、遊技盤３０の裏面側に設けられた第３図柄表示装置４２などの各種部品等の図示が省略されていることに留意されたい。
【０１３５】
図６〜図９に示すように、遊技盤３０は、その裏面側の所定箇所（例えば、裏面視で中央より下側の箇所）に、集合板４１０が固定されている。具体的には、図８，図９に示すように、集合板４１０は、正面視でその外周で複数箇所に、図示省略のネジが挿入される貫通孔４１３が形成されており、これらの貫通孔４１３にネジが挿入された状態でこのネジを締結することで、集合板４１０が遊技盤３０の裏面側に固定されている。したがって、これらのネジ（図示省略）を取り外さない限り、集合板４１０を遊技盤３０から取り外すことができないようになっている。
【０１３６】
この集合板４１０は、図１１に示すように、遊技盤３０の前面側の遊技領域側から裏面側に案内されてきた遊技球を集めて排出するためのものである。集合板４１０は、例えば、図２に示す遊技盤３０の前面側での遊技領域３０ａにおける一般入賞口３１や可変入賞装置３２や第１の始動口３３ａ，３３ｂなどに入賞して遊技盤３０の裏面側に案内されてきた遊技球を集めて、図１１で二点鎖線矢印方向に排出するための案内通路がそれぞれに形成されている。
【０１３７】
ところで、本実施例のパチンコ機１０は、図６に示すように、その裏面側の所定箇所に、当該パチンコ機１０の所定の遊技に関する制御を司る主制御基板２６１ａを収容する基板収容ユニット３９０を備えている。具体的には、基板収容ユニット３９０は、主制御基板２６１ａを収容する基板ボックス２６３と、この基板ボックス２６３が取り付けられる取付台４００とを備えている。図６に示すように、主制御基板２６１ａを収容した基板ボックス２６３は、取付台４００に、二点鎖線矢印方向にスライド挿入されて、この取付台４００に固定されるようになっている。
【０１３８】
基板ボックス２６３は、図６に示すように、ボックスベース２６５とボックスカバー２６７とを備え、このボックスベース２６５とボックスカバー２６７とが合わされた状態でその内部空間に主制御基板２６１ａを収容するものである。図６には、基板ボックス２６３の内部に主制御基板２６１ａが収容された状態を図示している。この実施例では、有底箱型のボックスベース２６５の開口部を塞ぐように、ボックスカバー２６７がこのボックスベース２６５にスライド装着されるようになっている。
【０１３９】
さらに、この基板ボックス２６３は、図６に示すように、ボックスベース２６５とボックスカバー２６７とを封印（封止）する封印部材２７１を複数個（本実施例では５個）有する封印ユニット２６９を備えている。封印ユニット２６９は、その所定の封印部材２７１の箇所が破壊されることで、その封印部材２７１による封印が解除されるものである。
【０１４０】
具体的には、封印部材２７１の長孔２７１ａに封印爪２７３を挿入することでボックスベース２６５とボックスカバー２６７とが開封不能に連結されるようになっている。すなわち、封印ユニット２６９を構成する５つの封印部材２７１のうち、少なくとも一つの封印部材２７１の長孔２７１ａに封印爪２７３を挿入することにより封印処理が行われる。そして、収容した主制御基板２６１ａの不具合などにより基板ボックス２６３を開封する場合には、封印爪２７３が挿入された封印部材２７１の所定箇所を切断し（この切断された封印部材２７１は当然にその切断跡、つまり破壊痕跡が残った状態となっている）、封印爪２７３による封印を解除する。その後、再度封印処理する場合は他の封印部材２７１の長孔２７１ａに封印爪２７３を挿入する。基板ボックス２６３の開封を行った旨の履歴を当該基板ボックス２６３に残しておけば、基板ボックス２６３を見ることで不正な開封が行われた旨が容易に発見できる。
【０１４１】
さらに、図６に示すように、基板ボックス２６３は、緩める方向に回すと所定箇所が破断する破断ネジ４２０により、取付台４００に固定されている。
【０１４２】
具体的には、図６，図７に示すように、取付台４００は、遊技盤３０の裏面側の集合板４１０に取り付けられており、遊技盤３０の裏面視した状態において、左側の４箇所にネジ穴４０１が形成されている。また、基板ボックス２６３は、図６に示すように、その左側の４箇所に貫通孔２６４が形成されている。図６に二点鎖線で示すように、主制御装置２６１（主制御基板２６１ａを収容した基板ボックス２６３）は、取付台４００に、二点鎖線矢印方向にスライド挿入された状態となる。この状態で、基板ボックス２６３の４個のうちの一つの貫通孔２６４に破断ネジ４２０を挿入し、この挿入した破断ネジ４２０を集合板４１０のネジ穴４０１にネジ止めすることで、主制御装置２６１を取付台４００に固定している。この破断ネジ４２０は、緩める方向に回すと所定箇所（例えば、ネジ頭）が破断する特殊ネジであり、公知の特殊ネジを採用することが可能である。
【０１４３】
さらに、取付台４００は、図９〜図１１に示すように、その所定箇所に、開閉軸Ｊ３（図８参照）を構成するための棒状の第１軸部４３０および第２軸部４４０を備えている。これらの第１軸部４３０および第２軸部４４０は、同一軸心上に設けられており、上方に位置するのが第１軸部４３０で、この第１軸部４３０の下方に位置するのが第２軸部４４０である。
【０１４４】
第１軸部４３０は、図１０に示すように、その軸周りのうちで当該軸を挟んだ両側箇所に、外部に突出した突出部４３１を有する係止爪４３３を備えている。つまり、第１軸部４３０は、図１０に示すように、両係止爪４３３が間隔（例えば５ミリ）を空けて設けられており、例えば、突出部４３１を外側から押されると、係止爪４３３が当該第１軸部４３０の軸心に向けて弾性変形するものである。
【０１４５】
第２軸部４４０は、図１０に示すように、棒状の軸部材であり、前述の第１軸部４３０のような係止爪４３３は有していない。つまり、第２軸部４４０は、挿入ピンとする構成を採用している。
【０１４６】
集合板４１０は、図１０に示すように、その所定箇所に、第１軸部４３０が挿入される第１軸入口４５１を有する有底形状の第１軸受け部４５０を備えている。また、この第１軸受け部４５０は、その内部に、図１３，図１４に示すように、挿入された第１軸部４３０を抜こうとすると当該第１軸部４３０の係止爪４３３が引っ掛かる掛止部４５３を備えている。また、第１軸受け部４５０は、集合板４１０の遊技盤３０と対向する側に向けて開口された開口部４５５を備え、第１軸入口４５１および開口部４５５を除いた容体形状とするものである。
【０１４７】
さらに、集合板４１０は、図１０に示すように、この第１軸受け部４５０の下方位置に、第２軸部４４０が挿入される第２軸入口４６１を有する第２軸受け部４６０を備えている。また、この第２軸受け部４６０は、第２軸部４４０が挿入される第２軸入口４６１を有する部材であり、前述の第１軸受け部４５０のような掛止部４５３は有していないし、第１軸部４３０を覆うような容体形状とはしていない。つまり、第２軸受け部４６０は、第２軸部４４０が挿入される第２軸入口４６１を備えた支持片４６３とする構成を採用している。
【０１４８】
図８に示すように、第１軸部４３０が第１軸受け部４５０に挿入され、かつ、第２軸部４４０が第２軸受け部４６０に挿入された状態で、取付台４００が集合板４１０に対して片開き自在となっている。
【０１４９】
さらに、第１軸受け部４５０の掛止部４５３は、図１８に示すように、第１軸部４３０の挿入方向視でかつ開口部４５５を上側に位置させた状態において、Ｕ字状の掛り代４５７（図１８で左斜線で示す部分）を備えており、この状態での下側の掛り代ｄ１の方が左側および右側の掛り代ｄ２よりも大きくしている。つまり、下側の掛り代ｄ１＞左側および右側の掛り代ｄ２という関係となっている。
【０１５０】
なお、図７に示すように、取付台４００を集合板４１０に対して閉じた状態とし、この取付台４００での開閉軸Ｊ３とは反対側である右端（図７での右側）で上下２箇所に設けられた着脱具４７０により、この取付台４００が閉状態に維持されるようになっている。例えば、この着脱具４７０を押し込むことで集合板４１０の挿入孔に押し込まれて係止され、取付台４００の右端が集合板４１０に固定されるし、この着脱具４７０を引くことで集合板４１０の挿入孔から引き出され、取付台４００の右端の集合板４１０への固定が解除される。
【０１５１】
なお、上述した集合板４１０が本発明における固定部材に相当し、上述した主制御基板２６１ａが本発明における制御基板に相当し、上述した基板ボックス２６３および取付台４００が本発明における基板収容ユニットに相当し、上述した第１軸部４３０が本発明における軸部に相当し、上述した第１軸受け部４５０が本発明における軸受け部に相当し、上述した基板ボックス２６３が本発明における基板ケースに相当し、上述した取付台４００が本発明における取付ベースに相当し、上述したボックスベース２６５が本発明における第１ケース部材に相当し、上述したボックスカバー２６７が本発明における第２ケース部材に相当する。
【０１５２】
続いて、本実施例のパチンコ機１０のさらなる特徴部分について図１９〜図２４を用いて説明する。
【０１５３】
図１９は、遊技盤３０の裏面側の集合板４１０のネジ封止キャップ４９０の箇所を下方左側から裏面視した部分斜視図である。図２０は、遊技盤３０の裏面側の集合板４１０のネジ封止キャップ４９０の箇所を示す部分裏面図である。図２１は、遊技盤３０および集合板４１０の裏面左下箇所を下方左側から見た部分分解斜視図である。図２２は、遊技盤３０および集合板４１０の正面右下箇所を下方右側から見た部分分解斜視図である。図２３は、遊技盤３０および集合板４１０のネジ封止キャップ４９０の箇所を後方から見た要部分解斜視図である。図２４は、遊技盤３０および集合板４１０のネジ封止キャップ４９０の箇所を前方から見た要部分解斜視図である。図２５は、遊技盤３０および集合板４１０の窪み部４８３の箇所の断面図である。
【０１５４】
なお、図２３，図２４では、集合板４１０の窪み部４８３の箇所と、遊技盤３０でのそれに対応する箇所とを図示している関係上、集合板４１０および遊技盤３０を直方体で図示しているが、図２３，図２４での集合板４１０および遊技盤３０はそれらの要部箇所を概略的に図示している点を留意されたい。
【０１５５】
集合板４１０は、図１１に示すように、その所定の複数箇所に、遊技盤３０に固定するための図１１には図示省略のネジ（図２１のネジ４８１を参照）の挿入される貫通孔４１３が形成されており、これらの貫通孔４１３にネジ４８１が挿入された状態でそれらのネジ４８１を遊技盤３０に締結することで、集合板４１０が遊技盤３０の裏面側に固定されている。
【０１５６】
ネジ４８１は、図２３に示すように、十字穴付きネジを採用しており、十字ねじ回し（プラスドライバ）の十字の先端部がネジ頭４８１ａの十字穴に挿入されて締め付けられたり、緩められたりするものである。
【０１５７】
なお、貫通孔４１３に挿入されたネジ４８１は、そのネジ先端が遊技盤３０に刺さり、遊技盤３０に螺入されてネジ止めされることで、この遊技盤３０に初めてネジ穴が形成されるものであり、一般的には、遊技盤３０の対応する箇所に下穴が予め形成されるものではない。このため、図２１，図２３に図示された遊技盤３０の下穴４８２は、説明の便宜上の理由から図示したものであり、貫通孔４１３に挿入されたネジ４８１の螺入によって初めて形成されるものである点に留意されたい。また、遊技盤３０に下穴４８２を形成しておいて、貫通孔４１３に挿入されたネジ４８１をその下穴に螺入してネジ止めするようにしてもよい。
【０１５８】
続いて、この集合板４１０での図１１に破線円で示す箇所、つまり、図２１に示すように、集合板４１０での複数個の貫通孔４１３のうちで一の貫通孔４１３（本実施例では、正面左下角部から水平方向に所定距離離れた貫通孔４１３）の箇所で、遊技盤３０と対向する面（対向面）とは反対の面（裏面）には、その貫通孔４１３を中央にして窪み部４８３が形成されている。
【０１５９】
言い換えれば、図２１，図２２に示すように、集合板４１０の裏面側で図１１に破線円で示す箇所に、窪み部４８３が形成されており、この窪み部４８３の中央には、貫通孔４１３が形成されているとも言える。
【０１６０】
この窪み部４８３は、図２１，図２３に示すように、正面視で円形で、かつ、所定深さの有底穴形状となっており、その円中心に貫通孔４１３が形成されている。
【０１６１】
集合板４１０は、例えば透明樹脂成型品であり、それらの貫通孔４１３や窪み部４８３なども樹脂成型過程で同時に形成される。なお、貫通孔４１３を後に穴あけ加工で形成したり、窪み部４８３を後に窪み加工で形成したりしてもよい。
【０１６２】
さらに、図２１，図２２に示すように、窪み部４８３を塞ぐようにしてこの窪み部４８３に取り付けられるネジ封止キャップ４９０を備えている。このネジ封止キャップ４９０は、窪み部４８３の貫通孔４１３に挿入されたネジ４８１によって集合板４１０を遊技盤３０にネジ止めした状態で、当該窪み部４８３を塞ぐようにしてこの窪み部４８３に取り付け固定されるものでもある。
【０１６３】
このネジ封止キャップ４９０は、図２１，図２３に示すように、正面視にて円形で、かつ、窪み部４８３を塞ぐように取り付けられるキャップ部材である。
【０１６４】
なお、図１９，図２０では、集合板４１０の窪み部４８３にネジ封止キャップ４９０が取り付けられた状態が図示されている。
【０１６５】
ネジ封止キャップ４９０は、図２４に示すようにその内天面４９１に突起部４９２が形成されている。また、この突起部４９２は、図２５に示すように、窪み部４８３の貫通孔４１３に挿入されたネジ４８１によって集合板４１０を遊技盤３０にネジ止めした状態で、かつ、ネジ封止キャップ４９０が窪み部４８３に取り付けられた状態において、ネジ頭４８１ａに当接しており、ネジ４８１の抜け方向への移動が規制されている。
【０１６６】
ネジ封止キャップ４９０は、図２３，図２４に示すように、窪み部４８３と対向する面での所定の外縁箇所に、窪み部４８３に向けて突出した外縁突出壁４９３を備えている。
【０１６７】
窪み部４８３は、図２２，図２４に示すように、その窪み内周面４８３ａの所定箇所、例えば、窪み内周面４８３ａの対向２箇所に係合穴４８４がそれぞれ形成されている。
【０１６８】
また、ネジ封止キャップ４９０は、図２２，図２４に示すように、窪み部４８３の係合穴４８４に係合する係合爪４９４をそれぞれ備えている。具体的には、ネジ封止キャップ４９０は、図２２，図２４に示すように、集合板４１０と対向する面側から当該集合板４１０の方に突出した一対の脚部４９５を備え、その脚部４９５の先端側に係合爪４９４が形成されている。
【０１６９】
また、窪み部４８３は、図２１，図２３に示すように、ネジ封止キャップ４９０の係合爪４９４を係合穴４８４に案内するリブ４８５を備えている。具体的には、このリブ４８５は、図２３に示すように、ネジ封止キャップ４９０の脚部４９５が挿入可能な間隔を空けて、かつ、窪み部４８３の係合穴４８４を間に挟むようにして並設されたものであり、両係合穴４８４に対応するように二組設けられている。ネジ封止キャップ４９０の窪み部４８３への取り付けに際して、ネジ封止キャップ４９０の脚部４９５が窪み部４８３のリブ４８５に案内されてネジ封止キャップ４９０が窪み部４８３に取り付けられていき、脚部４９５の係合爪４９４が窪み部４８３の係合穴４８４に係合することで、ネジ封止キャップ４９０が窪み部４８３に取り付けられる。
【０１７０】
なお、上述したネジ封止キャップ４９０が本発明における蓋部材に相当する。
【０１７１】
ここで、取付台４００の集合板４１０への取り付け手順などについて説明する。
【０１７２】
なお、図９に示すように、集合板４１０は、遊技盤３０の裏面側に、ネジ（図２１のネジ４８１を参照）により固定されている。
【０１７３】
つまり、集合板４１０の各貫通孔４１３にネジ４８１が挿入され、これらのネジ４８１を遊技盤３０に螺入していくことで、集合板４１０が遊技盤３０に取り付け固定される。
【０１７４】
また、前述したように集合板４１０での図１１に破線円で示す箇所、つまり、図２１に示した箇所（集合板４１０の正面左下角部から水平方向に所定距離離れた貫通孔４１３）で、遊技盤３０と対向する面（対向面）とは反対の面（裏面）には、その貫通孔４１３を中央にして窪み部４８３が形成されており、この貫通孔４１３にもネジ４８１が挿入されて遊技盤３０に螺入されている。
【０１７５】
そして、図２１に示すように、ネジ封止キャップ４９０をその窪み部４８３に取り付ける。具体的には、ネジ封止キャップ４９０の窪み部４８３への取り付けに際して、ネジ封止キャップ４９０の脚部４９５が窪み部４８３のリブ４８５に案内されてネジ封止キャップ４９０が窪み部４８３に取り付けられていき、脚部４９５の係合爪４９４が窪み部４８３の係合穴４８４に係合することで、ネジ封止キャップ４９０が窪み部４８３に取り付けられる。
【０１７６】
このように、ネジ封止キャップ４９０が窪み部４８３に取り付けられた状態では、ネジ封止キャップ４９０の内天面４９１に形成された突起部４９２は、図２５に示すように、窪み部４８３の貫通孔４１３に挿入されたネジ４８１によって集合板４１０を遊技盤３０にネジ止めした状態で、そのネジ頭４８１ａに当接している。
【０１７７】
図９，図１０に示すように、取付台４００の第１軸部４３０を集合板４１０の第１軸受け部４５０に、取付台４００の第２軸部４４０を集合板４１０の第２軸受け部４６０に挿入させるようにして、取付台４００を集合板４１０に取り付ける。
【０１７８】
この第１軸部４３０の第１軸受け部４５０への挿入過程（図１５参照）においては、第１軸部４３０の係止爪４３３の外周箇所が第１軸受け部４５０の掛止部４５３に当り、この係止爪４３３が当該第１軸部４３０の軸心方向（つまり内側方向）に向けて弾性変形し、さらに押し込まれることで、第１軸部４３０の係止爪４３３が第１軸受け部４５０の掛止部４５３を超えて奥側に進み、掛止部４５３に係止爪４３３が当たらない状態となりこの係止爪４３３の弾性変形が解除された状態となる（図１６，図１７参照）。
【０１７９】
図８に示すように、第１軸部４３０が第１軸受け部４５０に挿入された状態で、取付台４００が集合板４１０に対して片開き自在となっている。
【０１８０】
図１６，図１７に示すように、仮に、取付台４００を集合板４１０から抜き出そうとしても、第１軸部４３０の係止爪４３３が第１軸受け部４５０の掛止部４５３に引っ掛かり、挿入された第１軸部４３０が第１軸受け部４５０から抜けないようになっている。
【０１８１】
そして、図７に示すように、取付台４００を集合板４１０に対して閉じた状態とし、この取付台４００での開閉軸Ｊ３とは反対側である右端（図７での右側）で上下２箇所に設けられた着脱具４７０を集合板４１０の挿入孔に押し込むことにより、この取付台４００が閉状態に維持されるようになっている。
【０１８２】
そして、図６に示すように、集合板４１０に対して閉じた状態とした取付台４００に対して、主制御基板２６１ａを収容した基板ボックス２６３を二点鎖線矢印で示すようにスライド装着する。
【０１８３】
さらに、図６に示すように、基板ボックス２６３は、緩める方向に回すと所定箇所が破断する破断ネジ４２０により、取付台４００に固定される。また、この基板ボックス２６３は、図６に示すように、封印部材２７１によってボックスベース２６５とボックスカバー２６７とが封印されている。
【０１８４】
このように、図６に示すように、基板ボックス２６３は封印部材２７１によってボックスベース２６５とボックスカバー２６７とが封印され、さらに、破断ネジ４２０により取付台４００に固定されており、この取付台４００は、図８に示すように集合板４１０に対して片開き自在で、かつ、第１軸部４３０および第１軸受け部４５０により集合板４１０から取り外し不可となっている。
【０１８５】
上述したように、本実施例のパチンコ機１０によれば、集合板４１０は、その遊技盤３０と対向する面（対向面）とは反対の面（裏面）での所定箇所に窪み部４８３が形成され、この窪み部４８３は、集合板４１０を遊技盤３０に固定するためのネジ４８１の挿入される貫通孔４１３が形成され、窪み部４８３の貫通孔４１３に挿入されたネジ４８１によって集合板４１０を遊技盤３０にネジ止めした状態で、当該窪み部４８３を塞ぐようにしてこの窪み部４８３に取り付け固定されたネジ封止キャップ４９０を備え、このネジ封止キャップ４９０は、その内天面４９１がネジ頭４８１ａに当接していることにより、ネジ４８１の抜け方向への移動を規制する。したがって、例えば工場から営業店（パチンコ店）へのパチンコ機１０の搬送時の振動や衝撃などが加わることで、集合板４１０を止めているネジ４８１の緩みが生じようとしても、ネジ封止キャップ４９０の内天面４９１がネジ頭４８１ａに当接しているので、そのネジ頭４８１ａのネジ封止キャップ４９０への当接によってネジ４８１の抜け方向への移動が規制され、ネジ４８１の緩みを防止できる。よって、ネジ４８１の緩みに起因する集合板４１０での球詰まりや遊技部品の取り付け不安定という問題を低減できる。その結果、集合板４１０のネジ緩みを低減でき、集合板４１０の取り付け安定性を向上できるパチンコ機１０を提供することができる。
【０１８６】
また、集合板４１０を遊技盤３０に固定するためのネジ４８１が窪み部４８３の貫通孔４１３に挿入されて集合板４１０が遊技盤３０にネジ止めされた状態で、その窪み部４８３がネジ封止キャップ４９０で塞がれているので、ネジ４８１に触れることができず、不正にネジ４８１を緩めて集合板４１０を遊技盤３０から不正に取り外すなどの不正行為を低減できる。
【０１８７】
また、ネジ封止キャップ４９０は、窪み部４８３と対向する面での所定の外縁箇所に、窪み部４８３に向けて突出した外縁突出壁４９３を備えているので、窪み部４８３とネジ封止キャップ４９０との間の隙間に不正に細状部材などを差し入れてネジ４８１に近づけることを低減できる。また、ネジ封止キャップ４９０を集合板４１０の窪み部４８３に取り付けた状態において、ネジ封止キャップ４９０と窪み部４８３との当接あるいは近接する面積を大きくとることができ、不正具（細状部材など）を挿入し難くでき、その取り付け状態を解除し辛くできる。また、この外縁突出壁４９３を、係合爪４９４よりも大きく突出させた場合には、ネジ封止キャップ４９０を無理矢理押し込んで係合爪４９４を折ることができず、係合爪４９４を保護することができる。
【０１８８】
また、窪み部４８３は、その窪み内周面４８３ａの所定箇所に係合穴４８４を備え、ネジ封止キャップ４９０は、係合穴４８４に係合する係合爪４９４を備えているので、ネジ封止キャップ４９０の係合爪４９４が集合板４１０の窪み部４８３での窪み内周面４８３ａの係合穴４８４に係合することができ、ネジ封止キャップ４９０と集合板４１０との係合箇所、つまりネジ封止キャップ４９０の係合爪４９４と集合板４１０の窪み部４８３との係合箇所を隠れた位置（窪み部４８３内）に設定でき、ネジ封止キャップ４９０が窪み部４８３に一旦取り付けられると、そのネジ封止キャップ４９０が取り外されないようにできる。
【０１８９】
また、窪み部４８３は、ネジ封止キャップ４９０の係合爪４９４を係合穴４８４に案内するリブ４８５を備えているので、ネジ封止キャップ４９０の係合爪４９４を窪み部４８３の係合穴４８４に容易に係合させることができる。また、窪み部４８３は、係合穴４８４の両側部にリブ４８５を備えているので、窪み部４８３の係合箇所（係合穴４８４の周囲箇所）を補強でき、不正具（細状部材など）により不正に隙間が形成されることを防止できる。
【０１９０】
また、集合板４１０は、所定の遊技を制御する主制御基板２６１ａと、この主制御基板２６１ａを収容する基板ボックス２６３とを備えた基板収容ユニット３９０が取り付け固定されており、この基板収容ユニット３９０は、基板ボックス２６３を封印する封印ユニット２６９を備え、この封印ユニット２６９は、その所定箇所が破壊されることで、当該封印が解除されるものであるので、不正行為者は、基板収容ユニット３９０の主制御基板２６１ａに対して不正行為を行うために、基板ボックス２６３から主制御基板２６１ａを取り出したいのであるが、封印手段によって基板ボックス２６３が封印されており、主制御基板２６１ａを取り出すことが困難となっているし、封印破壊すればその破壊痕跡を見つけることで不正行為を発見できる。そこで次に、不正行為者は、集合板４１０から基板収容ユニット３９０を取り外して基板収容ユニット３９０ごと不正品に交換したいのであるが、この基板収容ユニット３９０は集合板４１０に固定されているので破壊しない限り取り外すことができないし、破壊すれば基板収容ユニット３９０を取り付けることができないし、その破壊痕跡を見つけることで不正行為を発見できる。さらに次に、不正行為者は、集合板４１０ごと取り外して集合板４１０ごと不正品に交換したいのであるが、集合板４１０を遊技盤３０に固定するためのネジ４８１が窪み部４８３の貫通孔に挿入されて集合板４１０が遊技盤３０にネジ止めされた状態で、その窪み部４８３がネジ封止キャップ４９０で塞がれているので、ネジ４８１に触れることができず、不正にネジ４８１を緩めて集合板４１０を遊技盤３０から不正に取り外すことが困難となっている。その結果、主制御基板２６１ａや基板収容ユニット３９０や集合板４１０を不正に取り外すことができず、不正行為を低減できる。
【０１９１】
また、窪み部４８３およびネジ封止キャップ４９０が正面視でほぼ同形状で、ネジ封止キャップ４９０は窪み部４８３に没入することで窪み部４８３を塞いでいることにより、隙間を防止しており、不正具（細状部材など）を不正に進入させることや、ネジ封止キャップ４９０を外側に引っ張って取り外すことなどを低減できる。
【０１９２】
また、窪み部４８３およびネジ封止キャップ４９０が正面視で円形同士で嵌合しているため、当接面あるいは近接面が曲面同士となり、マイナスドライバなどの先端が平らな細状部材を不正に進入させ辛くできる。なお、円形に限らず楕円形状など曲面同士となるような構造であってもよい。
【０１９３】
また、遊技球が打ち込まれる遊技領域３０ａを有する遊技盤３０と、この遊技盤３０の裏面側に固定される集合板４１０と、当該パチンコ機１０の所定の遊技に関する制御を司る主制御基板２６１ａを収容する基板ボックス２６３と、この基板ボックス２６３が取り付けられる取付台４００とを備え、この取付台４００は、その所定箇所に、開閉軸Ｊ３を構成するための棒状の第１軸部４３０を備え、この第１軸部４３０は、その軸周りで少なくとも一部に突出した突出部４３１を有する、その軸心に向けて弾性変形可能な係止爪４３３を備え、集合板４１０は、その所定箇所に、第１軸部４３０が挿入される有底形状の第１軸受け部４５０を備え、この第１軸受け部４５０は、その内部に、挿入された第１軸部４３０を抜こうとすると当該第１軸部４３０の係止爪４３３が引っ掛かる掛止部４５３を備え、第１軸部４３０が第１軸受け部４５０に挿入された状態で取付台４００が集合板４１０に対して片開き自在となっているので、取付台４００は、その第１軸部４３０を、遊技盤３０の裏面側での集合板４１０の第１軸受け部４５０に挿入することで、集合板４１０に対して片開き状態とすることができるのみならず、このように取付台４００を集合板４１０に一旦取り付けると、取付台４００を集合板４１０から取り外すことができない。つまり、挿入された第１軸部４３０を第１軸受け部４５０から抜こうとしても、第１軸部４３０の係止爪４３３が第１軸受け部４５０の内部の掛止部４５３に引っ掛かり、挿入された第１軸部４３０が第１軸受け部４５０から抜けないようになっており、取付台４００を遊技盤３０の裏面の集合板４１０から取り外せないようにでき、不正行為を低減できる。また、第１軸受け部４５０は有底形状としているので、外部底側からその内部への不正工具の進入も排除でき、この不正工具進入による第１軸部４３０の係止爪４３３の不正操作も防止できる。
【０１９４】
また、仮に、集合板４１０の第１軸受け部４５０を破壊して取付台４００が取り外せたとしても、その破壊された第１軸受け部４５０に偽物の取付台４００を挿入して取り付けることができないし、第１軸受け部４５０の破壊痕跡を視認することで不正行為を発見できる。また、これとは逆に、取付台４００の第１軸部４３０を破壊して取付台４００が取り外せたとしても、破壊された第１軸部４３０の一部が第１軸受け部４５０に残存したままで取り出すことができないし、この第１軸受け部４５０に偽物の取付台４００を挿入して取り付けることができないし、第１軸受け部４５０に残存する第１軸部４３０の一部（破壊痕跡）を視認することで不正行為を発見できる。
【０１９５】
さらに、集合板４１０は、遊技盤３０に固定されているので、集合板４１０の遊技盤３０への固定を解除することが困難であり、集合板４１０の遊技盤３０への固定解除をしない限り、取付台４００が付いたままで集合板４１０ごと盗むことができないことから、取付台４００が付いたままで集合板４１０ごと盗むということも解消できる。
【０１９６】
その結果、主制御基板２６１ａの盗難・摩り替え等の不正行為についての対策を強化したパチンコ機を提供することができる。
【０１９７】
また、基板ボックス２６３は、緩める方向に回すと所定箇所（例えば、ネジ頭の付け根箇所）が破断する破断ネジ４２０により、取付台４００に固定されているので、基板ボックス２６３を取付台４００から取り外すことを困難とすることができる。
【０１９８】
また、基板ボックス２６３は、ボックスベース２６５とボックスカバー２６７とを備え、ボックスベース２６５とボックスカバー２６７とが合わされた状態でその内部空間に主制御基板２６１ａを収容するものであり、さらに、封印部材２７１によりボックスベース２６５とボックスカバー２６７とを封印する封印ユニット２６９を備え、この封印ユニット２６９は、その所定箇所が破壊されることで、封印部材２７１による封印が解除されるものであるので、封印ユニット２６９の所定箇所を破壊しなければ、封印部材２７１による封印が解除されない。つまり、基板ボックス２６３を開封することができない。また、封印ユニット２６９の破壊痕跡を確認することで、基板ボックス２６３が何回開封されたかがわかり、不正行為を発見することができる。その結果、基板ボックス２６３内の主制御基板２６１ａに対する不正行為を低減できる。
【０１９９】
また、集合板４１０は、遊技盤３０の前面側の遊技領域３０ａ側から裏面側に案内されてきた遊技球を集めて排出するものとしているので、取付台４００を開閉自在でかつ取り外し不可とした専用品（特化品）を用いる必要が無く、取付台４００を開閉自在でかつ取り外し不可とした構成を集合板４１０で実現できる。また、この集合板４１０を遊技盤３０から取り外さない限り、取付台４００が付いたままで集合板４１０ごと盗むことができないことから、不正に取り外すことに非常に手間がかかるようにでき、取付台４００が付いたままで集合板４１０ごと盗むということも解消でき、不正抑止効果に優れる。
【０２００】
また、係止爪４３３は、突出部４３１が、第１軸部４３０の軸周りのうちで当該軸を挟んだ両側箇所に設けられたものであり、第１軸受け部４５０は、集合板４１０の遊技盤３０と対向する側に向けて開口された開口部４５５を備え、第１軸入口４５１および開口部４５５を除いた容体形状とするものであり、掛止部４５３は、第１軸部４３０の挿入方向視でかつ開口部４５５を上側に位置させた状態において、Ｕ字状の掛り代４５７を備えており、この状態での下側の掛り代ｄ１の方が左側および右側の掛り代ｄ２よりも大きくしているので、係止爪４３３が掛係部に片掛りとなる状態（片掛り状態）となったときに、取付台４００が集合板４１０から外れ易くなることを低減できる。つまり、取付台４００を集合板４１０に対して閉状態から開状態に変化させる過程のうちで一の状態のときに、係止爪４３３が掛係部に片掛りとなる状態（片掛り状態）となることがあるが、掛止部４５３のＵ字状の掛り代４５７での下側の掛り代ｄ１の方が左側および右側の掛り代ｄ２よりも大きくしているので、取付台４００が集合板４１０から外れ易くなることを低減できる。
【０２０１】
また、第１軸受け部４５０は、第１軸部４３０が挿入される軸入口と、集合板４１０の遊技盤３０側に向けた開口部４５５とを除いた容体形状としているので、外部から第１軸受け部４５０の内部にアクセスできず、第１軸受け部４５０に不正な工具を挿入できないし、第１軸受け部４５０から第１軸部４３０を不正に取り外すことをできないようにすることができる。
【実施例２】
【０２０２】
次に、実施例２のパチンコ機を、図面に基づいて詳細に説明する。図２６は、実施例２での遊技盤３０および集合板４１０の窪み部４８３の箇所の断面図である。
【０２０３】
実施例２のネジ封止キャップ４９０は、その内天面４９１の突起部４９２の突起先端箇所に、ネジ頭４８１ａに当接される弾性部材４９６を備えている。
【０２０４】
この弾性部材４９６としては、ゴムやラバーなどの弾性体が挙げられる。
【０２０５】
上述したように、本実施例２のパチンコ機１０によれば、ネジ封止キャップ４９０は、その内天面４９１の突起部４９２の突起先端箇所に、ネジ頭４８１ａに当接される弾性部材４９６を備えているので、窪み部４８３内のネジ４８１のネジ止めにばらつきがあった場合、つまり、窪み部４８３内でのネジ４８１のその窪み部４８３の開口に向けてのネジ頭突出量にばらつきがあった場合でも、そのばらつきを弾性部材４９６で吸収することができ、ネジ封止キャップ４９０をネジ頭４８１ａに当接させることができ、ネジ頭突出に起因するネジ封止キャップ４９０の取り付け不良を低減できる。
【実施例３】
【０２０６】
次に、実施例３のパチンコ機を、図面に基づいて詳細に説明する。図２７（ａ）は、実施例３での集合板４１０の窪み部４８３の箇所の正面図であり、図２７（ｂ）は、実施例３での遊技盤３０および集合板４１０の窪み部４８３の箇所の断面図である。図２８は、実施例３での遊技盤３０および集合板４１０のネジ封止キャップ４９０の箇所を後方から見た要部分解斜視図である。図２９は、実施例３での遊技盤３０および集合板４１０のネジ封止キャップ４９０の箇所を前方から見た要部分解斜視図である。
【０２０７】
なお、ネジ４８１は、前述の実施例１と同様に、図２８に示すように、そのネジ頭４８１ａに、十字ねじ回し（プラスドライバ）の先端が差し込まれる十字穴４８１ｃが形成されているものであり、いわゆる、十字穴付きネジである。
【０２０８】
実施例３の集合板４１０の窪み部４８３には、図２７（ａ），図２８に示すように、貫通孔４１３の周辺箇所に、ネジ４８１のネジ頭４８１ａの十字穴４８１ｃを合わせるためのマーク４８６が設けられている。ネジ４８１は、図２７（ａ）に示すように、そのネジ止め最終状態において、ネジ頭４８１ａの十字穴４８１ｃがマーク４８６に合うようにしてネジ止めされる。本実施例では、４個のマーク４８６を形成しているが、少なくとも１個としてもよい。
【０２０９】
また、実施例３のネジ封止キャップ４９０は、図２９に示すように、その内天面４９１に突起部４９２の少なくとも先端側に、ネジ頭４８１ａの十字穴４８１ｃに挿入される十字挿入突起部４９７を備えている。このネジ封止キャップ４９０の十字挿入突起部４９７は、ネジ封止キャップ４９０の窪み部４８３への取り付け状態において、窪み部４８３での貫通孔４１３の周辺箇所のマーク４８６と合うように形成されている。つまり、図２７（ｂ）に示すように、ネジ頭４８１ａの十字穴４８１ｃがマーク４８６に合うようにしてこのネジ４８１がネジ止めされていれば、図ネジ封止キャップ４９０を窪み部４８３に取り付けたときに、ネジ封止キャップ４９０の十字挿入突起部４９７がネジ頭４８１ａの十字穴４８１ｃに挿入された状態となる。
【０２１０】
なお、上述した十字穴４８１ｃが本発明における穴に相当し、上述した十字挿入突起部４９７が本発明における挿入突起部に相当する。
【０２１１】
上述したように、本実施例３のパチンコ機１０によれば、ネジ４８１は、そのネジ頭４８１ａに、十字ねじ回し（プラスドライバ）の先端が差し込まれる十字穴４８１ｃが形成されており、ネジ封止キャップ４９０は、その突起部４９２に、ネジ頭４８１ａの十字穴４８１ｃに挿入される十字挿入突起部４９７が形成されているので、ネジ封止キャップ４９０の十字挿入突起部４９７がネジ頭４８１ａの十字穴４８１ｃに入り込むことでネジ４８１が緩む方向に回転することを防止できる。
【０２１２】
なお、本実施例３では、十字穴４８１ｃおよび十字挿入突起部４９７を採用しているが、すりわり（一字穴：一字溝）および一字挿入突起部（先端から見た状態で一字状の挿入突起部）を採用してもよい。この場合には、ネジ頭４８１ａにすりわり（一字穴：一字溝）が形成されており、このすりわりにねじ回し（マイナスドライバ）の先端が差し込まれてネジ止めされる。ネジ封止キャップ４９０は、その突起部４９２に、ネジ頭４８１ａの一字穴に挿入される一字挿入突起部が形成されているので、ネジ封止キャップ４９０の一字挿入突起部がネジ頭４８１ａの一字穴に入り込むことでネジ４８１が緩む方向に回転することを防止できる。また、十字穴４８１ｃあるいは一字穴以外の形状の穴およびその穴形状に対応した挿入突起部を採用するようにしてもよい。
【０２１３】
また、本実施例３では、十字挿入突起部４９７を採用しているが、これに替えて前述の実施例２の弾性部材４９６を採用し、この弾性部材４９６をネジ頭４８１ａに当接させて、その弾性部材４９６の表面側の一部が十字穴４８１ｃに入り込むことでネジ４８１が緩む方向に回転することを防止するようにしてもよい。
【０２１４】
この発明は、上記実施形態に限られることはなく、下記のように変形実施することができる。
【０２１５】
（１）上述した各実施例では、集合板４１０での図１１に破線円で示す箇所に窪み部４８３を形成しているが、それ以外の貫通孔４１３の箇所に窪み部４８３を形成してもよいし、窪み部４８３を複数個形成するようにしてもよい。
【０２１６】
（２）上述した実施例２では、ネジ封止キャップ４９０は、その内天面４９１の突起部４９２の突起先端箇所に、ネジ頭４８１ａに当接される弾性部材４９６を備えているが、突起部４９２を有さないネジ封止キャップ４９０の内天面４９１の所定箇所に、ネジ頭４８１ａに当接される弾性部材４９６を備えるようにしてもよい。
【０２１７】
（３）上述した各実施例では、図６に示すように、主制御基板２６１ａを収容する基板ボックス２６３を備えた基板収容ユニット３９０が集合板４１０に取り付け固定されているが、図３０（ａ）に示すように、基板収容ユニット３９０を遊技盤３０と集合板４１０との間に備えるようにしてもよい。
【０２１８】
この場合には、不正行為者は、遊技盤３０と集合板４１０との間の基板収容ユニット３９０の主制御基板２６１ａに対して不正行為を行うために、集合板４１０を遊技盤３０から取り外して基板収容ユニット３９０にアクセスしたいのであるが、集合板４１０を遊技盤３０に固定するためのネジ４８１が窪み部４８３の貫通孔４１３に挿入されて集合板４１０が遊技盤３０にネジ止めされた状態で、その窪み部４８３がネジ封止キャップ４９０で塞がれているので、ネジ４８１に触れることができず、不正にネジ４８１を緩めて集合板４１０を遊技盤３０から不正に取り外すことが困難であり、基板収容ユニット３９０にアクセスできず、不正行為を低減できる。
【０２１９】
また、遊技盤３０と集合板４１０との間に所定の遊技部品を備えるようにしてもよい。この電気部品としては、例えば、入賞口スイッチ、状態報知部品（エラー報知用ＬＥＤ基板、特図ＬＥＤ基板など）などが挙げられる。したがって、不正行為者は、遊技盤と集合板との間の電気部品に対して不正行為を行うために、集合板４１０を遊技盤３０から取り外して当該電気部品にアクセスしたいのであるが、集合板４１０を遊技盤３０に固定するためのネジ４８１が窪み部４８３の貫通孔４１３に挿入されて集合板４１０が遊技盤３０にネジ止めされた状態で、その窪み部４８３がネジ封止キャップ４９０で塞がれているので、ネジ４８１に触れることができず、不正にネジ４８１を緩めて集合板４１０を遊技盤３０から不正に取り外すことが困難であり、電気部品にアクセスできず、不正行為を低減できる。
【０２２０】
（４）上述した各実施例では、図６に示すように、主制御基板２６１ａを収容する基板ボックス２６３を備えた基板収容ユニット３９０が集合板４１０に取り付け固定されているが、図３０（ｂ）に示すように、集合板４１０は、所定の遊技を制御する主制御基板２６１ａを収容する基板収容部が一体的に形成されており、基板収容部を封印する封印手段（例えば前述の封印ユニット２６９を集合板４１０の基板収容部に適用した構成）を備え、この封印手段は、その所定箇所が破壊されることで、当該封印が解除されるものとしてもよい。
【０２２１】
この場合には、不正行為者は、主制御基板２６１ａに対して不正行為を行うために、基板収容部から主制御基板２６１ａを取り出したいのであるが、封印手段によって基板収容部が封印されており、主制御基板２６１ａを取り出すことが困難となっているし、封印破壊すればその破壊痕跡を見つけることで不正行為を発見できる。そこで次に、不正行為者は、集合板４１０ごと取り外して集合板４１０ごと不正品に交換したいのであるが、集合板４１０を遊技盤３０に固定するためのネジ４８１が窪み部４８３の貫通孔４１３に挿入されて集合板４１０が遊技盤３０にネジ止めされた状態で、その窪み部４８３がネジ封止キャップ４９０で塞がれているので、ネジ４８１に触れることができず、不正にネジ４８１を緩めて集合板４１０を遊技盤３０から不正に取り外すことが困難となっている。その結果、主制御基板２６１ａや集合板４１０を不正に取り外すことができず、不正行為を低減できる。
【０２２２】
（５）上述した実施例では、ネジ封止キャップ４９０の内天面４９１の突起部４９２は図２５に示すようにネジ頭４８１ａに当接しているが、ネジ封止キャップ４９０の突起部４９２がネジ頭４８１ａに近接するようにしてもよい。また、ネジ封止キャップ４９０に突起部４９２を設けずその内天面４９１自体がネジ頭４８１ａに近接するようにしてもよい。また、ネジ封止キャップ４９０の内天面４９１または突起部４９２からネジ頭４８１ａまでの距離は、当該ネジ４８１のネジ部４８１ｂの長さよりも小さい範囲で近接していることが好ましい。
【０２２３】
この場合には、ネジ封止キャップ４９０の内天面４９１や突起部４９２がネジ頭４８１ａに近接している場合には、例えば工場から営業店（パチンコ店）へのパチンコ機１０の搬送時の振動や衝撃などが加わることで、集合板４１０を止めているネジ４８１の緩みが生じたとしても、その緩んだネジ４８１のネジ頭４８１ａがネジ封止キャップ４９０の内天面４９１や突起部４９２に当接し、それ以上のネジ４８１の緩みを防止できる。よって、ネジ４８１の緩みに起因する集合板４１０での球詰まりや遊技部品の取り付け不安定という問題を低減できる。その結果、集合板のネジ緩みを低減でき、集合板の取り付け安定性を向上できるパチンコ機１０を提供することができる。
【０２２４】
（６）上述した実施例では、図６に示すように、破断ネジ４２０により基板ボックス２６３が取付台４００に固定されているが、締め方向に回しきると所定箇所（例えば、ネジ頭の付け根箇所）が破断する破断ネジを採用してもよいし、緩める方向に回せないあるいは回し難いワンウェイネジにより基板ボックス２６３が取付台４００に固定されるようにしてもよい。
【０２２５】
（７）上述した実施例では、制御基板として主制御基板２６１ａを採用した一例を挙げて説明したが、主制御基板２６１ａ以外の制御基板（例えば、払出制御基板３１１ａやサブ制御基板２６２ａなどの各種の制御基板）を採用してもよい。
【０２２６】
（８）上述した実施例では、基板ボックス２６３が取り付けられる取付台４００に第１軸部４３０を設けている一例を挙げて説明してきたが、基板ボックス２６３に第１軸部４３０を設けた構成を採用してもよい。この場合は、集合板４１０に対して基板ボックス２６３が開閉自在であり、基板ボックス２６３を一旦、集合板４１０に取り付けるとその後は外せない構成を実現できる。
【０２２７】
（９）上述した実施例では、取付台４００に第１軸部４３０と第２軸部４４０とを設け、集合板４１０に第１軸受け部４５０と第２軸受け部４６０とを設けた構成としているが、取付台４００に第１軸部４３０のみを設け、集合板４１０に第１軸受け部４５０のみを設けた構成としてもよいし、取付台４００に、少なくとも１個の第１軸部４３０と１個以上の第２軸部４４０とを設け、集合板４１０に、少なくとも１個の第１軸受け部４５０と１個以上の第２軸受け部４６０とを設けた構成としてもよい。
【０２２８】
（１０）上述した実施例では、第１軸部４３０に係止爪４３３を設け、第１軸受け部４５０に掛止部４５３を設けた構成としているが、これとは逆に、第２軸部４４０に係止爪４３３を設け、第２軸受け部４６０に掛止部４５３を設けた構成としてもよい。また、第１軸部４３０と第２軸部４４０の両方に係止爪４３３を設け、第１軸受け部４５０と第２軸受け部４６０の両方に掛止部４５３を設けた構成としてもよい。
【０２２９】
（１１）上述した実施例では、第１軸部４３０の係止爪４３３は２個としているが、３個以上の複数個としてもよい。
【０２３０】
（１２）上述した実施例では、固定部材として集合板４１０を採用にしているが、集合板４１０以外の部材であって遊技盤３０に固定される部材を採用するようにしてもよい。
【０２３１】
（１３）上述した実施例では、基板収容ユニット３９０に軸部（例えば第１軸部４３０）を備え、固定部材（例えば集合板４１０）に軸受け部（例えば第１軸受け部４５０）を備えているが、それとは逆に、固定部材（例えば集合板４１０）に軸部（例えば第１軸部４３０）を備え、基板収容ユニット３９０に軸受け部（例えば第１軸受け部４５０）を備えるようにしてもよい。
【０２３２】
（１４）上述した実施例において、破断ネジ４２０により取付台４００を、集合板４１０に対して閉じた状態を維持する構成を付加あるいは置き換えるようにしてもよい。
【０２３３】
（１５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２３４】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０２３５】
以上のように、この発明は、パチンコ機やスロットマシン等の遊技機に適している。
【符号の説明】
【０２３６】
３０  …遊技盤
３０ａ…遊技領域
４１０  …集合板
４１３  …貫通孔
４８１  …ネジ
４８１ａ…ネジ頭
４８１ｂ…ネジ部
４８３  …窪み部
４９０  …ネジ封止キャップ（蓋部材）
４９１  …内天面
【図１】
2014208241.tif 000003
【図２】
2014208241.tif 000004
【図３】
2014208241.tif 000005
【図４】
2014208241.tif 000006
【図５】
2014208241.tif 000007
【図６】
2014208241.tif 000008
【図７】
2014208241.tif 000009
【図８】
2014208241.tif 000010
【図９】
2014208241.tif 000011
【図１０】
2014208241.tif 000012
【図１１】
2014208241.tif 000013
【図１２】
2014208241.tif 000014
【図１３】
2014208241.tif 000015
【図１４】
2014208241.tif 000016
【図１５】
2014208241.tif 000017
【図１６】
2014208241.tif 000018
【図１７】
2014208241.tif 000019
【図１８】
2014208241.tif 000020
【図１９】
2014208241.tif 000021
【図２０】
2014208241.tif 000022
【図２１】
2014208241.tif 000023
【図２２】
2014208241.tif 000024
【図２３】
2014208241.tif 000025
【図２４】
2014208241.tif 000026
【図２５】
2014208241.tif 000027
【図２６】
2014208241.tif 000028
【図２７】
2014208241.tif 000029
【図２８】
2014208241.tif 000030
【図２９】
2014208241.tif 000031
【図３０】
2014208241.tif 000032